(57)【特許請求の範囲】
【請求項１】
コンミュテータ廻りに配置されるブラシホルダー
と、該ブラシホルダーを構成する上部壁側にピグテールを連結するとともに前記ブラシホルダーに摺動自在に収容されスプリングにより付勢されてコンミュテータに当接するブラシを備える回転電機のブラシ装置において、前記ブラシホルダーには前記ピグテールが挿通されるピグテール挿通孔がブラシ収容方向にコンミュテータ側端部手前の閉塞部まで連通して前記上部壁に開設され、さらに、前記挿通孔に対向する側の部位に前記閉塞部を回転中心としてブラシの回転移動を可能とする少なくともブラシホルダー凹部又はブラシ凹部を設けたことを特徴とする回転電機のブラシ装置。
【請求項２】
少なくとも前記ブラシホルダー凹部の一部は、コンミュテータ側端部を深さ０として反コンミュテータ側に向けてテーパ状に徐々に深くなるように形成されていることを特徴
とする請求項１に記載の回転電機のブラシ装置。
【請求項３】
少なくとも前記ブラシ凹部の一部は、反コンミュテータ側端部を深さ最大としてコンミュテータ側に向けてテーパ状に徐々に浅くなるように形成されていることを特徴とする請求項１及び請求項２に記載の回転電機のブラシ装置。
【発明の詳細な説明】
【０００１】
【発明の属する技術分野】
本発明は、車両などに用いられる回転電機のブラシ装置に関する。
【０００２】
【従来の技術】
車両などに用いられる回転電機の電力供給は、電力供給線であるピグテールを連結したブラシをブラシホルダー内に収容し、このブラシをスプリングなどで付勢しアーマチャに固定されるコンミュテータに当接して行われる。ここで、ピグテールは、ブラシの摩耗長が最大となるように反コンミュテータ側の後部に取付けられが、ブラシからの脱落防止を図る上で後端部から距離を置いて取付けられており、その結果、ブラシの有効摩耗長が減少することになる。また、ブラシホルダーには前記ピグテールを挿通する挿通孔がブラシの収容方向に開設されるが、有効摩耗長が必要摩耗長に対し充分余裕のある場合等の挿通孔をコンミュテータ側に開放して設定される場合を除き、前記挿通孔はコンミュテータ側端部の手前まで開設してブラシの有効摩耗長の摩耗終了後にブラシがブラシホルダーから脱落しないようにしている。従って、このようなピグテールを連結するとともにピグテールの挿通孔を開放しない構成においては、特に小径の回転電機の如くブラシ実長の短いものの場合、ブラシの実長に対し有効摩耗長は極短く長寿命要求に対応できないでいた。
【０００３】
【発明が解決しようとする課題】
この問題はブラシ長を長くすれば解決されるが、その結果として回転電機の径が大きくなり、今日の小型化の要求に反するものとなって到底採用されるものではない。
【０００４】
そこで本発明は、ブラシにピグテールを連結するとともにピグテールの挿通孔を開放しない構成下において、ブラシ長を長くすることなく、ブラシの有効摩耗長を長くすることを目的とした。
【０００５】
【課題を解決するための手段】
請求項１に記載の発明は、コンミュテータ廻りに配置されるブラシホルダーと、該ブラシホルダーを構成する上部壁側にピグテールを連結するとともに前記ブラシホルダーに摺動自在に収容されスプリングにより付勢されてコンミュテータに当接するブラシを備える回転電機のブラシ装置において、前記ブラシホルダーには前記ピグテールが挿通されるピグテール挿通孔がブラシ収容方向にコンミュテータ側端部手前の閉塞部まで連通して前記上部壁に開設され、さらに、前記挿通孔に対向する側の部位に前記閉塞部を回転中心としてブラシの回転移動を可能とする少なくともブラシホルダー凹部又はブラシ凹部を設けたことを要旨とする。
【０００６】
請求項２に記載の発明は、請求項１に記載の回転電機のブラシ装置において、少なくとも前記ブラシホルダー凹部の一部は、コンミュテータ側端部を深さ０として反コンミュテータ側に向けてテーパ状に徐々に深くなるように形成されていることを要旨とする。
【０００７】
請求項３に記載の発明は、請求項１及び請求項２に記載の回転電機のブラシ装置において、少なくとも前記ブラシ凹部の一部は、反コンミュテータ側端部を深さ最大としてコンミュテータ側に向けてテーパ状に徐々に浅くなるように形成されていることを要旨とする。
【０００８】
【作用】
請求項１に記載の発明によれば、コンミュテータ廻りに配置されるブラシホルダーと、該ブラシホルダーを構成する上部壁側にピグテールを連結するとともに前記ブラシホルダーに摺動自在に収容されスプリングにより付勢されてコンミュテータに当接するブラシを備える回転電機のブラシ装置において、前記ブラシホルダーには前記ピグテールが挿通されるピグテール挿通孔がブラシ収容方向にコンミュテータ側端部手前の閉塞部まで連通して前記上部壁に開設され、さらに、前記挿通孔に対向する側の部位に前記閉塞部を回転中心としてブラシの回転移動を可能とする少なくともブラシホルダー凹部又はブラシ凹部を設けているので、ブラシがコンミュテータ側端部の閉塞部を中心に回転しながらコンミュテータ側に移動でき、有効摩耗長を大きくすることができる。
【０００９】
請求項２に記載の発明によれば、少なくとも前記ブラシホルダー凹部の一部は、コンミュテータ側端部を深さ０として反コンミュテータ側に向けてテーパ状に徐々に深くなるように形成されているので、上記効果に加え、ブラシの初期装着時においてブラシホルダー内にブラシを安定して摺動収容することができ、さらに、回転移動後においてブラシをテーパ方向に安定して摺動収容することができる。
【００１０】
請求項３に記載の発明によれば、少なくとも前記ブラシ凹部の一部は、反コンミュテータ側端部を深さ最大としてコンミュテータ側に向けてテーパ状に徐々に浅くなるように形成されているので、請求項２の発明と同様の効果を得ることができる。また、請求項２のブラシホルダー凹部及び請求項３のブラシ凹部を同時に形成した場合には、ブラシの初期装着時においてブラシホルダー内にブラシを一層安定して摺動収容することができる。
【００１１】
【発明の実施の形態】
以下、本発明を具現化した実施の形態を図面に従って説明する。
先ず、第一実施例を図１及び図２（ａ）、（ｂ）、（ｃ）により説明する。
【００１２】
図１は本発明のブラシ装置１０がモータハウジング５０に装着された概要図である。また、図２（ａ）、（ｂ）、（ｃ）は、図１のブラシ装置１０に係る本発明第一実施例のＡ―Ａ方向断面図であって、順に、ブラシ装着初期状態、一般的なブラシ有効摩耗長の摩耗経過によるブラシ寿命終了状態、後述する閉塞部を中心としてブラシが回転し電力供給を続行する状態、を示すものである。
【００１３】
本実施例のブラシ装置１０は、図１に示す如く、ピグテール４２を後端部に連結するブラシ４０、前記ブラシ４０をコンミュテータ６０に付勢するコイルスプリング７０、前記ブラシ４０を保持する断面コ字状とする両側壁３４及び上部壁３２を有すとともに前記コイルスプリング７０を閉持する後板３６を有す金属製のボックスホルダー３０、ブラシホルダー８０の底部２２となり前記ボックスホルダー３０とでブラシホルダー８０を構成するとともに前記各部品等を保持する基板２０、などから構成されている。ここで、ブラシボックスホルダー３０の上部壁３２には前記ピグテール４２が挿通する挿通孔３２ａがブラシ収容方向にコンミュテータ６０側端部手前の閉塞部３２ｂまで連通して開設されている。
【００１４】
本発明第一実施例は、図２の各図に示す如く、前記ブラシボックスホルダー３０の上部壁３２のコンミュテータ６０側端部であって前記挿通孔３２ａに対向する部位である基板２０の底部２２に前記閉塞部３２ｂを回転中心としてブラシ４０の回転移動を可能とするコンミュテータ側端部を深さ０として反コンミュテータ６０側に向けてテーパ状２２ｂに徐々に深くなるように形成したブラシホルダー凹部２２ａが設けられている。
【００１５】
以上の本第一実施例の構成によれば、ブラシ４０がコンミュテータ６０側端部の閉塞部３２ｂを中心に回転しながらコンミュテータ６０側に移動できるので、従来ブラシ寿命終了とされる状態から引き続いて電力供給が可能となる。また、ブラシホルダー凹部２２ａはコンミュテータ６０側端部を深さ０として反コンミュテータ６０側に向けてテーパ状２２ｂに徐々に深くなるように形成されているので、ブラシ４０の初期装着時においてブラシホルダー８０内にブラシ４０を安定して摺動収容することができ、さらに、平坦状のテーパ面２２ｂであることから、回転移動後においてブラシ４０はテーパ方向に安定して摺動収容することができる。
【００１６】
次に、第二実施例について図３の（ａ）、（ｂ）、（ｃ）により説明する。
図２（ａ）、（ｂ）、（ｃ）は、本発明第一実施例と同様に、図１のブラシ装置１０に係る本発明第二実施例のＡ―Ａ方向断面図であって、順に、ブラシ装着初期状態、一般的なブラシ有効摩耗長の摩耗経過によるブラシ寿命終了状態、閉塞部３２ｂを中心としてブラシ４０が回転し電力供給を続行する状態、を示すものである。従って、図１に関する共通事項については説明を省略する。
【００１７】
本発明第二実施例は、図３の各図に示す如く、前記ブラシボックスホルダー３０の上部壁３２に対向する部位である基板２０の底部２２に接するブラシ４０の反コンミュテータ６０側に前記閉塞部３２ｂを回転中心としてブラシ４０の回転移動を可能とする反コンミュテータ６０側端部を深さ最大としてコンミュテータ６０側に向けてテーパ状４０ｂに徐々に浅くなるように形成されているブラシ凹部４０ａが設けられている。
【００１８】
以上の本第二実施例の構成によれば、前記ブラシ凹部４０ａの一部が反コンミュテータ６０側端部を深さ最大としてコンミュテータ６０側に向けてテーパ状４０ｂに徐々に浅くなるように形成されているので、本発明第一実施例と同様の効果を得ることができる。
【００１９】
また、本発明の第一実施例及び第二実施例の各凹部２２ａ、４０ａを同時に形成することも可能である。この場合には、各凹部２２ａ、４０ａの深さが半分程度になるので、ブラシ４０の初期装着時においてブラシホルダー９０内にブラシを一層安定して摺動収容することができる。
【００２０】
【発明の効果】
以上の説明より明らかなように、本発明によれば、上記凹部を設けたことによりブラシがコンミュテータ側端部の閉塞部を中心に回転しながらコンミュテータ側に移動できるので、従来ブラシ寿命終了とされる状態から引き続いて電力供給が可能となり、ブラシの長寿命化を達することができる。しかも、各凹部をテーパ状に形成することにより、ブラシの初期装着時とともに回転移動後においてもブラシを安定して摺動収容することができる。
【図面の簡単な説明】
【図１】モータハウジングに装着された状態のブラシ装置概要図。
【図２】図１のブラシ装置に係る本発明第一実施例のＡ―Ａ方向断面図。
【図３】図１のブラシ装置１０に係る本発明第二実施例のＡ―Ａ方向断面図。
【符号の説明】
１０… ブラシ装置、２０… 基板、２２… 底部、２２ａ… ブラシホルダー凹部、２２ｂ… テーパ面、３０… ブラシボックスホルダー、３２…上部壁、３２ａ… 挿通孔、３２ｂ… 閉塞部、３４… 側壁、３６… 後板、４０… ブラシ、４０ａ… ブラシ凹部、４０ｂ… テーパ面、４２… ピグテール、５０… ハウジング、６０… コンミュテータ、７０… コイルスプリング、８０、９０… ブラシホルダー
【図１】
0004093657.tif 000002
【図２】
0004093657.tif 000003
【図３】
0004093657.tif 000004